(57)【特許請求の範囲】
【請求項１】
保持具に装着される清掃シートであって、
前記保持具が装着される装着領域と、
第１面と、前記第１面の反対側に形成される第２面とを有するシート状部材と、
前記第１面に設けられて被清掃領域の清掃を行う刷毛部材と、
所定の第１方向上において前記清掃シートの外郭領域をそれぞれ構成する第１端部および第２端部と、を有し、
前記清掃シートは、前記第１端部と前記第２端部が前記第１方向に関して所定の第１間隔に離間するように置かれ、前記刷毛部材を外部に露出させて清掃作業を許容する第１状態と、前記第１端部と前記第２端部が前記第１方向に関して前記第１間隔よりも短い第２間隔に近接するように置かれ、前記刷毛部材の外部への露出面積を前記第１状態における露出面積よりも低減させた第２状態との間で変形可能に構成され、
前記清掃シートは、さらに前記清掃シートが前記第２状態に置かれた場合に、前記第２間隔を維持する第２間隔維持部材を有し、
前記第２間隔維持部材は、前記清掃シートに接合する接合部と、前記接合部から延出して前記清掃シートから離間する離間部と、前記離間部と前記清掃シートの相対移動を規制する規制部とを有し、
前記規制部は、前記清掃シートが前記第２状態に置かれた場合に、使用者の操作によって前記離間部と前記清掃シートの相対移動を規制して前記第２間隔を維持するよう構成されることを特徴とする清掃シート。
【請求項２】
請求項１に記載された清掃シートであって、
前記装着領域は、前記第１方向に延在し、
前記離間部は、使用者の操作によって前記第１方向に延在可能に構成されることを特徴とする清掃シート。
【請求項３】
請求項１または２に記載の清掃シートであって、
前記装着領域を分割する分割部を有し、
前記接合部は、前記分割部上に接合されることを特徴とする清掃シート。
【請求項４】
請求項１〜３のいずれか１項に記載された清掃シートであって、
前記規制部は、前記離間部に設けられるとともに前記清掃シートに接着可能な接着部により構成され、
前記接着部は、前記清掃シートが前記第２状態に置かれた場合に、使用者の操作によって前記清掃シートに接着されることにより前記離間部と前記清掃シートの相対移動を規制することを特徴とする清掃シート。
【請求項５】
請求項４に記載された清掃シートであって、
前記清掃シートは、前記接着部に接着される被接着部材を有することを特徴とする清掃シート。
【請求項６】
請求項１〜３のいずれか１項に記載された清掃シートであって、
前記規制部は、前記離間部の先端部を含む先端領域により構成され、
前記先端領域は、前記清掃シートが前記第２状態に置かれた場合に、使用者の操作によって前記離間部に接合されることにより前記離間部と前記清掃シートの相対移動を規制することを特徴とする清掃シート。
【請求項７】
請求項１〜３のいずれか１項に記載された清掃シートであって、
前記離間部は、第１離間要素と第２離間要素とにより構成され、
前記第１離間要素は、前記第１離間要素の先端部を含む第１先端領域を有し、
前記第２離間要素は、前記第２離間要素の先端部を含む第２先端領域を有し、
前記規制部は、前記第１先端領域と前記第２先端領域とにより構成され、
前記第１先端領域と前記第２先端領域は、前記清掃シートが前記第２状態に置かれた場合に、使用者の操作によって互いに接合されることにより前記第１離間要素および前記第２離間要素と前記清掃シートの相対移動を規制することを特徴とする清掃シート。
【請求項８】
請求項１〜３のいずれか１項に記載された清掃シートであって、
前記離間部は、開口を有する環状要素により構成され、
前記環状要素は、前記規制部を兼用し、
前記環状要素は、前記清掃シートが前記第２状態に置かれた場合に使用者の操作によって前記開口に前記清掃シートが挿通されることにより前記環状要素と前記清掃シートの相対移動を規制することを特徴とする清掃シート。
【請求項９】
請求項１〜８のいずれか１項に記載された清掃シートであって、
前記装着領域は、前記シート状部材を重ねることによって構成されることを特徴とする清掃シート。
【請求項１０】
請求項１〜９のいずれか１項に記載された清掃シートであって、
前記シート状部材の前記第２面には、他の刷毛部材が設けられることを特徴とする清掃シート。
【請求項１１】
保持具と、前記保持具に装着される清掃シートとにより構成される清掃用具であって、
前記保持具は、
使用者に把持される把持部と、
前記把持部に連接される長尺部と、を有し、
前記清掃シートは、
前記保持具が装着される装着領域と、
第１面と、前記第１面の反対側に形成される第２面とを有するシート状部材と、
前記第１面に設けられて被清掃領域の清掃を行う刷毛部材と、
所定の第１方向上において前記清掃シートの外郭領域をそれぞれ構成する第１端部および第２端部と、を有し、
前記清掃シートは、前記第１端部と前記第２端部が前記第１方向に関して所定の第１間隔に離間するように置かれ、前記刷毛部材を外部に露出させて清掃作業を許容する第１状態と、前記第１端部と前記第２端部が前記第１方向に関して前記第１間隔よりも短い第２間隔に近接するように置かれ、前記刷毛部材の外部への露出面積を前記第１状態における露出面積よりも低減させた第２状態との間で変形可能に構成され、
前記清掃シートは、さらに前記シートが前記第２状態に置かれた場合に、前記第２間隔を維持する第２間隔維持部材を有し、
前記第２間隔維持部材は、前記清掃シートに接合する接合部と、前記接合部から延出して前記清掃シートから離間する離間部と、前記離間部と前記清掃シートの相対移動を規制する規制部とを有し、
前記規制部は、前記清掃シートが前記第２状態に置かれた場合に、使用者の操作によって前記離間部と前記清掃シートの相対移動を規制して前記第２間隔を維持するよう構成されることを特徴とする清掃用具。
【請求項１２】
請求項１１に記載の清掃用具であって、
前記装着領域は、前記第１方向に延在され、
前記第２間隔維持部材は、使用者の操作により前記第１方向に延在可能に構成され、
前記保持具に前記清掃シートが装着されている状態において、使用者が前記第２間隔維持部材を前記第１方向へ移動することにより、前記保持具から前記清掃シートを離脱可能に構成されていることを特徴とする清掃用具。
【請求項１３】
請求項１１または１２に記載の清掃用具であって、
前記清掃シートは、前記装着領域を分割する分割部を有し、
前記保持具は、前記分割部により分割された前記装着領域の数と同数の前記長尺部を有し、
前記接合部は、前記分割部上に接合されることを特徴とする清掃用具。
【発明の詳細な説明】
【技術分野】
【０００１】
本発明は、清掃対象を清掃するための清掃シートおよび清掃用具に関する。
【背景技術】
【０００２】
特開２００７−２９１３６号公報には、保持具に装着される清掃シートが記載されている。当該清掃シートは使い捨てであり、清掃シートに塵芥が多く付着したと使用者に判断された場合は清掃シートが保持具から取り外され廃棄されていた。
しかし当該清掃シートにおいては塵芥の付着箇所が露出しているため、清掃シートから塵芥が脱落することがあった。
【先行技術文献】
【特許文献】
【０００３】
【特許文献１】特開２００７−２９１３６号公報
【発明の概要】
【発明が解決しようとする課題】
【０００４】
本発明は、このような点に鑑みて創案されたものであり、塵芥の付着箇所の露出を抑制する清掃シートおよび清掃用具に関する一層合理的な構築技術を提供することを目的とする。
【課題を解決するための手段】
【０００５】
上記課題を解決するため、本発明に係る清掃シートは、保持具に装着される清掃シートであって、保持具が装着される装着領域と、第１面と、当該第１面の反対側に形成される第２面とを有するシート状部材と、第１面に設けられて被清掃領域の清掃を行う刷毛部材と、所定の第１方向上において清掃シートの外郭領域をそれぞれ構成する第１端部および第２端部とを有する。本発明に係る清掃シートは保持具に着脱自在とされ、使用者が刷毛部の汚れ具合を判断し廃棄する使い捨てタイプのものとすることができる。装着領域は、保持部における清掃シートの被装着箇所を許容する空間部により構成することができる。シート状部材および刷毛部材は可撓性を有する素材により構成することができる。より具体的には、シート状部材は不織布により構成することができる。また、刷毛部材は所定方向に配向性を有する繊維の集合体により構成することができる。
なお、第１端部および第２端部は第１方向上における清掃シートの外郭領域における点を示すことができる。一方、第１端部および第２端部は、第１方向と交差する方向である第２方向に延在する縁部とすることもできる。
【０００６】
本発明に係る清掃シートは、第１端部と第２端部が第１方向に関して所定の第１間隔に離間するように置かれ、刷毛部材を外部に露出させて清掃作業を許容する第１状態と、第１端部と第２端部が第１方向に関して第１間隔よりも短い第２間隔に近接するように置かれ、刷毛部材の外部への露出面積を第１状態における露出面積よりも低減させた第２状態との間で変形可能に構成される。すなわち、上述した通りシート状部材および刷毛部材は可撓性を有する素材により構成されているため、清掃シートは第１状態と第２状態との間で変形可能とされる。
【０００７】
さらに、本発明に係る清掃シートは、シートが第２状態に置かれた場合に、第２間隔を維持する第２間隔維持部材を有する。第２状態は刷毛部材の外部への露出面積が第１状態よりも低減されている。これによって、刷毛部材に付着した塵芥が刷毛部材から離脱することを抑制することが可能となる。
【０００８】
さらに本発明に係る清掃シートにあっては、第２間隔維持部材は、清掃シートに接合する接合部と、接合部から延出して清掃シートから離間する離間部と、離間部と清掃シートの相対移動を規制する規制部とを有する。
接合部は、離間部の所定領域を接着剤や溶着などの手段により清掃シートに接合することにより形成される。当該構成により、離間部は接合部から延出されることとなる。離間部は、伸長可能に構成されることが望ましい。伸長可能な構成の一例として、ゴム弾性を有する素材により離間部を構成することができる。また、複数のシートを積層するとともに隣接するシートにおける端部を接合することにより、使用者の操作により連続したシート体が延出する構成とすることができる。
規制部は、清掃シートが第２状態に置かれた場合に、使用者の操作によって離間部と清掃シートの相対移動を規制して第２間隔を維持するよう構成される。すなわち、使用者が規制部を操作することによって、第２間隔を維持することが可能となる。
【０００９】
また本発明に係る清掃用具は、上述した清掃シートと保持具とを有する。保持具は、使用者に把持される把持部と、把持部に連接される長尺部とを有する。
【００１０】
また本発明に係る清掃シートにおける解決手段の一態様として、装着領域は、第１方向に延在するよう構成される。この場合、離間部を使用者の操作によって第１方向に延在可能に構成することができる。当該構成は、例えば離間部を可撓性の素材にて構成することにより達成することができる。この場合、装着領域を第１方向に延在させることが好ましい。これにより、第１方向の一方の側は清掃シートと保持具を装着する挿入側とされ、他方の側は清掃シートと保持具を離脱する離脱側とすることができる。
この態様に係る清掃シートによれば、清掃シートに保持具が装着された状態において、使用者が離間部を第１方向に操作することにより清掃シートを保持具から離脱することが可能となる。すなわち、使用者は塵芥が付着された刷毛部材に触れる機会を低減した状態で、保持具から清掃シートを離脱することができる。
【００１１】
また本発明に係る清掃シートにおける解決手段の一態様として、装着領域を分割する分割部を有することができる。この場合、接合部を分割部上に接合することができる。当該分割部は、保持具を清掃シートに着脱するにあたり当該保持具が通過することのできない領域となる。この態様に係る清掃シートによれば、接合部が保持具に押圧され、清掃シートから離脱することを抑制することが可能となる。
【００１２】
また本発明に係る清掃シートにおける解決手段の一態様として、規制部を離間部に設けられるとともに清掃シートに接着可能な接着部により構成することができる。接着部は、清掃シートが第２状態に置かれた場合に、使用者の操作によって清掃シートに接着されることにより離間部と清掃シートの相対移動を規制することができる。この場合、清掃シートは第２間隔を維持するため、刷毛部材の塵芥の離脱を抑制することが可能となる。
なお、接着部は接着剤により構成することや、例えばシート状部材を構成する不織布に係合可能なフック部材により構成することができる。
【００１３】
また本発明に係る清掃シートにおける解決手段の一態様として、清掃シートは接着部に接着される被接着部材を有することができる。例えば、接着部が複数のフック要素を有するフック部材により構成される場合、被接着部材として多数のループ要素を有するループ部材を使用することができる。この対応に係る清掃シートによれば、清掃シートに対して接着部をより確実に配設することが可能となる。
【００１４】
また本発明に係る清掃シートにおける解決手段の一態様として、規制部を離間部の先端部を含む先端領域により構成することができる。先端領域は、清掃シートが第２状態に置かれた場合に、使用者の操作によって離間部に接合されることにより離間部と清掃シートの相対移動を規制することができる。この場合、清掃シートは第２間隔を維持するため、刷毛部材の塵芥の離脱を抑制することが可能となる。
なお、当該態様に係る第２間隔維持部材は、紐などの長尺体により構成することができる。
【００１５】
また本発明に係る清掃シートにおける解決手段の一態様として、離間部を第１離間要素と第２離間要素とにより構成することができる。この場合、第１離間要素は第１離間要素の先端部を含む第１先端領域を有し、第２離間要素は第２離間要素の先端部を含む第２先端領域を有する。当該構成の場合、規制部は第１先端領域と第２先端領域とにより構成される。第１先端領域と第２先端領域は、清掃シートが第２状態に置かれた場合に、使用者の操作によって互いに接合されることにより第１離間要素および第２離間要素と清掃シートの相対移動を規制することができる。この場合、清掃シートは第２間隔を維持するため、刷毛部材の塵芥の離脱を抑制することが可能となる。
【００１６】
また本発明に係る清掃シートにおける解決手段の一態様として、離間部を開口を有する環状要素により構成することができる。この場合、環状要素は規制部を兼用する。環状要素は、清掃シートが第２状態に置かれた場合に使用者の操作によって開口に清掃シートが挿通されることにより環状要素と清掃シートの相対移動を規制することができる。この場合、清掃シートは第２間隔を維持するため、刷毛部材の塵芥の離脱を抑制することが可能となる。
【００１７】
また本発明に係る清掃シートにおける解決手段の一態様として、装着領域は、シート状部材を重ねることによって構成することができる。この場合、複数のシート状部材を積層するとともに、当該積層されたシート状部材を所定間隔を有する接合部により接合することにより、当該所定間隔を有する接合部同士の間に装着領域を構成することができる。また、単一のシートを折り畳むことにより生ずる空間を装着領域とすることも可能である。
【００１８】
また本発明に係る清掃シートにおける解決手段の一態様として、シート状部材の第２面には、他の刷毛部材を設けることができる。この場合、シート状部材の第１面および第２面に刷毛部が構成されるため、清掃可能領域の増加を図ることが可能となる。
【００１９】
また本発明に係る清掃用具における解決手段の一態様として、装着領域を第１方向に延在し、第２間隔維持部材を使用者の操作により第１方向に延在可能に構成することができる。当該構成によって、保持具に清掃シートが装着されている状態において、使用者が第２間隔維持部材を第１方向へ移動することにより、保持具から清掃シートを離脱することが可能となる。
この態様に係る清掃用具によれば、清掃シートに保持具が装着された状態において、使用者が離間部を第１方向に操作することにより清掃シートを保持具から離脱することが可能となる。すなわち、使用者は塵芥が付着された刷毛部材に触れる機会を低減した状態で、保持具から清掃シートを離脱することができる。
【００２０】
また本発明に係る清掃用具における解決手段の一態様として、清掃シートは、装着領域を分割する分割部を有し、保持具は、分割部により分割された装着領域の数と同数の長尺部を有することができる。この場合、接合部を分割部上に接合することが可能となる。当該分割部は、保持具を清掃シートに着脱するにあたり当該保持具が通過することのできない領域となる。この態様に係る清掃用具によれば、接合部が保持具に押圧され、清掃シートから離脱することを抑制することが可能となる。
【発明の効果】
【００２１】
本発明によれば、塵芥の付着箇所の露出を抑制する清掃シートおよび清掃用具に関する一層合理的な構築技術を提供することが可能となる。
【図面の簡単な説明】
【００２２】
【図１】本発明の第１実施形態に係る清掃用具の斜視図である。
【図２】本発明の第１実施形態に係る保持具の平面図である。
【図３】当該保持具の構成を示す側面図である。
【図４】図２におけるＩ−Ｉ線断面図である。
【図５】本発明の第１実施形態に係る清掃シートの平面図である。
【図６】当該清掃シートの底面図である。
【図７】図５におけるＩＩ−ＩＩ線断面図である。
【図８】清掃シートの第１状態を示す説明図である。
【図９】清掃シートの第２状態を示す説明図である。
【図１０】本発明の第１実施形態に係る維持部材の動作を示す説明図である。
【図１１】清掃シートの他の状態を示す説明図である。
【図１２】清掃シートの他の状態を示す説明図である。
【図１３】本発明の第１実施形態に係る維持部材の構成を示す説明図である。
【図１４】当該維持部材の構成を示す説明図である。
【図１５】当該維持部材の動作を示す説明図である。
【図１６】当該維持部材の動作を示す説明図である。
【図１７】本発明の第２実施形態に係る清掃シートの平面図である。
【図１８】本発明の第２実施形態に係る維持部材の構成を示す説明図である。
【図１９】本発明の第３実施形態に係る清掃シートの平面図である。
【図２０】本発明の第３実施形態に係る維持部材の構成を示す説明図である。
【図２１】当該維持部材の動作を示す説明図である。
【図２２】本発明の第４実施形態に係る清掃シートの平面図である。
【図２３】本発明の第４実施形態に係る維持部材の構成を示す説明図である。
【図２４】当該維持部材の動作を示す説明図である。
【図２５】本発明の第５実施形態に係る清掃シートの平面図である。
【図２６】本発明の第５実施形態に係る維持部材の構成を示す説明図である。
【図２７】当該維持部材の動作を示す説明図である。
【発明を実施するための形態】
【００２３】
（清掃用具の説明）
本発明に係る第１実施形態を図１〜図１６に基づき説明する。図１は清掃用具Ａ１００を示す斜視図である。図１に示すとおり清掃用具Ａ１００は、保持具Ｄ１００と、保持具Ｄ１００に着脱自在とされた清掃シートＢ１００とにより構成される。清掃シートＢ１００には保持具Ｄ１００が装着される装着領域Ｂ６００が構成される。この清掃用具Ａ１００が本発明に係る「清掃用具」の一例であり、保持具Ｄ１００が本発明に係る「保持具」の一例であり、清掃シートＢ１００が本発明に係る「清掃シート」の一例であり、装着領域Ｂ６００が本発明に係る「装着領域」の一例である。
清掃シートＢ１００は、清掃シートＢ１００のみで販売される場合と、清掃シートＢ１００と保持具Ｄ１００とが同時に梱包されて清掃用具Ａ１００として販売される場合がある。清掃シートＢ１００は、一回使用を目安とした使い捨てタイプのものや、清掃対象の被清掃面から除去したごみや埃を保持しつつ複数回の使用を目安として交換を行う使い捨てタイプのものであってもよい。
【００２４】
装着領域Ｂ６００は所定の第１方向Ｂ１００ｙに延在される。第１実施形態に係る清掃用具Ａ１００においては、第１方向Ｂ１００ｙが清掃シートＢ１００の長尺方向を規定する。第１方向Ｂ１００ｙと交差する方向は第２方向Ｂ１００ｘとされる。第１方向Ｂ１００ｙおよび第２方向Ｂ１００ｘは、清掃シートＢ１００および保持具Ｄ１００の延在方向を規定する。清掃シートＢ１００における第１方向Ｂ１００ｙ上の端部はそれぞれ第１端部Ｂ１０１および第２端部Ｂ１０２を構成する。また、清掃シートＢ１００における第２方向Ｂ１００ｘ上の端部はそれぞれ第３端部Ｂ１０３および第４端部Ｂ１０４を構成する。この第１方向Ｂ１００ｙが本発明に係る「第１方向」の一例であり、第１端部Ｂ１０１が本発明に係る「第１端部」の一例であり、第2端部Ｂ１０２が本発明に係る「第２端部」の一例である。
なお、第1方向Ｂ１００ｙにおいて、清掃シートＢ１００に保持具Ｄ１００を装着する側は挿入側Ｂ１００ｙ１を規定し、清掃シートＢ１００から保持具Ｄ１００を抜去する側は離脱側Ｂ１００ｙ２を規定する。
【００２５】
（保持具の説明）
図２〜図４に基づき保持具Ｄ１００の説明を行う。図２は保持具Ｄ１００の全体を示す平面図、図３は保持具Ｄ１００における延在部Ｄ１４０の構成を示す側面図、図４は図２におけるＩ−Ｉ線断面図である。
図２に示す通り、保持具Ｄ１００は、清掃シートＢ１００の装着領域Ｂ６００に保持される長尺部Ｄ１１０と、使用者に把持されるハンドル部Ｄ１６０とを有する。長尺部Ｄ１１０は、先端部Ｄ１２０と、基部Ｄ１３０と、当該先端部Ｄ１２０と基部Ｄ１３０との間に延在する延在部Ｄ１４０とを有する。延在部Ｄ１４０は、基部Ｄ１３０から二股状に形成される。よって、基部Ｄ１３０は単一であるが、延在部Ｄ１４０と先端部Ｄ１２０とはそれぞれ２つずつ構成される。ハンドル部Ｄ１６０は、先端部Ｄ１６１と、後端部Ｄ１６２と、当該先端部Ｄ１６１と後端部Ｄ１６２との間に延在する把持部Ｄ１６３とを有する。長尺部Ｄ１１０の基部Ｄ１３０と、ハンドル部Ｄ１６０の先端部Ｄ１６１とは、着脱自在に構成されている。この長尺部Ｄ１１０が本発明に係る「長尺部」の一例であり、把持部Ｄ１６３が本発明に係る「把持部」の一例である。保持具Ｄ１００は、樹脂材料にて成型されており、本発明に係る実施形態においては、長尺部Ｄ１１０がポリプロピレンにより形成され、ハンドル部Ｄ１６０がポリエステルにより形成されている。
【００２６】
図２に示すとおり、延在部Ｄ１４０は第１延在部Ｄ１４１と第２延在部Ｄ１４２とを有する。二股状の延在部Ｄ１４０において、第１延在部Ｄ１４１は互いに近接する位置関係にあり、第２延在部Ｄ１４２は互いに離間する位置関係にある。より具体的には図２に示すとおり、二つの第１延在部Ｄ１４１は第２方向Ｂ１００ｘにおいて互いに近接する方向に突出するような湾曲形状とされる。二つの第２延在部Ｄ１４２は、第２方向Ｂ１００ｘにおいて互いに離間する方向に突出するような湾曲形状とされる。図２に示すとおり、第２延在部Ｄ１４２は、先端部Ｄ１２０側の先端側凸部Ｄ１５１と、基部Ｄ１３０側の基部側凸部Ｄ１５２とを有する。当該先端側凸部１５１と基部側凸部Ｄ１５２は、清掃シートＢ１００の装着領域Ｂ６００を構成する内壁に係止し、保持具Ｄ１００と清掃シートＢ１００の離脱を抑制する。
【００２７】
図４および図５に示す通り、第１延在部Ｄ１４１と第２延在部Ｄ１４２は、それぞれが離間する方向に湾曲する。具体的には図４に示すとおり、第１延在部Ｄ１４１の中央領域が図４における下側方向に突出するように湾曲し、第２延在部Ｄ１４２の中央領域が図４における上側方向に突出するように湾曲する。よって、長尺部Ｄ１１０は、巨視的には概ね立体的な形状とされている。
【００２８】
（清掃シートの基本構成に係る説明）
図５〜図７に基づき、清掃シートＢ１００の基本構成を説明する。図５は清掃シートＢ１００を示す平面図、図６は清掃シートＢ１００を示す平面図、図７は図５におけるＩ−Ｉ線断面図である。
図７に示すとおり清掃シートＢ１００は、シート状部材と、繊維束Ｂ４００とを主体として構成される。シート状部材とは、第１シートＢ２１０と、第２シートＢ２２０と、第３シートＢ２３０とを示す。第１シートＢ２１０と第２シートＢ２２０は重ねられる。繊維束Ｂ４００は、第２シートＢ２２０と第３シートＢ２３０との間に配置される。シート状部材と、繊維束Ｂ４００とは、所定の接合部により接合される。第１シートＢ２１０と第２シートＢ２２０との間には、保持具Ｄ１００の長尺部Ｄ１１０が収容される装着領域Ｂ６００が形成される。装着領域Ｂ６００は、第１シートＢ２１０と第２シートＢ２２０とを第１接合部Ｂ７１０および第２接合部Ｂ７２０により接合することにより形成される。すなわち、装着領域Ｂ６００の外縁は、第２接合部Ｂ７２０により構成される。
【００２９】
図７に示すとおり第１シートＢ２１０は、第１面Ｂ２１１と、第１面２１１の反対側に形成される第２面Ｂ２１２とを有する。第２面Ｂ２１２には、後述する維持部材Ｃ１００が設けられる。第１面Ｂ２１１には、第２シートＢ２２０、繊維束Ｂ４００、第３シートＢ２３０が設けられる。第２シートＢ２２０、繊維束Ｂ４００および第３シートＢ２３０は、使用者によって被清掃領域に当接されて清掃を行う刷毛部Ｂ５００を構成する。この第１シートＢ２１０が本発明に係る「シート状部材」の一例であり、第１面Ｂ２１１が本発明に係る「第１面」の一例であり、第２面Ｂ２１２が本発明に係る「第２面」の一例であり、第２シートＢ２２０、第３シートＢ２３０および繊維束Ｂ４００が本発明に係る「刷毛部材」の一例である。
【００３０】
なお、第１実施形態に係る清掃シートＢ１００は、刷毛部Ｂ５００が第１面Ｂ２１１のみに形成されている。一方、第２面Ｂ２１２に繊維束Ｂ４００を接合することにより、第２面Ｂ２１２にも刷毛部Ｂ５００を形成することができる。この場合、第２面Ｂ２１２に配置される繊維束Ｂ４００は、維持部材Ｃ１００が形成されていない領域に配置することが好ましい。
【００３１】
図５に示すとおり、装着領域Ｂ６００は両端に開口Ｂ６１０を有する。保持具Ｄ１００の長尺部Ｄ１１０は、どちらの開口Ｂ６１０からも挿入することが可能である。図５に示すとおり、第１方向Ｂ１００ｙにおいて、第１シートＢ２１０は第２シートＢ２２０よりも短く形成されている。図５に示すとおり第１シートＢ２１０および第２シートＢ２２０は、第２方向Ｂ１００ｘに延在する切込みＢ３１０を複数本有する。また、図６に示すとおり第３シートＢ２３０も、第２方向Ｂ１００ｘに延在する切込みＢ３１０を複数本有する。第１シートＢ２１０、第２シートＢ２２０および第３シートＢ２３０における隣接した切込みＢ３１０の間には、短冊片Ｂ３００が形成される。当該短冊片Ｂ３００は、使用者により被清掃対象に当接され塵芥を掻き出す機能を有する。
【００３２】
第１シートＢ２１０、第２シートＢ２２０および第３シートＢ２３０は、熱溶融性繊維（熱可塑性繊維）からなる不織布により形成される。よって、第１シートＢ２１０、第２シートＢ２２０および第３シートＢ２３０は可撓性を有する。
【００３３】
繊維束Ｂ４００は繊維構成体により形成される。この発明において、繊維構成体とは、「繊維」により形成される構造物を示すものである。この発明において、「繊維」とは、典型的な単一の繊維によるものや、典型的な繊維が長さ方向および／または径方向にそろって形成されるもの（撚糸、紡績糸、複数の長繊維が部分的に接続された糸材など）を含むものである。ここで「典型的な繊維」とは、糸、織物などの構成単位であり、太さに比して十分な長さを持つ、細くてたわみやすい形態のものである。具体的には長い連続状の繊維が長繊維（フィラメント）とされ、短い繊維が短繊維（ステープル）とされる。
ここで、本実施形態に係る清掃シートＢ１００において、繊維束Ｂ４００は、所定の方向に配向性を有する複数の繊維による繊維集合体により形成される。具体的には、繊維集合体は第２方向Ｂ１００ｘに配向性を有する繊維の集合体により形成される。
繊維集合体は、第２方向Ｂ１００ｘに配向性を有するとともに積層された複数の繊維により形成される。繊維は柔軟な素材であるため、容易に屈曲、変形される。よって、繊維の繊維配向方向とは、製品の設計上における繊維配向性のことを示すものである。また、この構成により繊維束Ｂ４００は可撓性を有する。
繊維集合体は、芯部分ポリエチレンテレフタレートであり、当該芯部分の外面を覆う鞘部分がポリエチレンである複合繊維を用いたトウを開繊することによって得られる長繊維（フィラメント）の集合体が用いられることが好ましい。
【００３４】
図７に示すとおり、第１シートＢ２１０、第２シートＢ２２０、繊維束Ｂ４００および第３シートＢ２３０は第１接合部Ｂ７１０により接合される。また、第１シートＢ２１０、第２シートＢ２２０および一部の繊維束Ｂ４００は第２接合部Ｂ７２０により接合される。装着領域Ｂ６００は、第１シートＢ２１０と第２シートＢ２２０の間における第２接合部Ｂ７２０に囲まれた領域に構成される。この意味において、第１接合部Ｂ７１０は装着領域Ｂ６００を分割する分割部を構成すると言うことができる。この第１接合部Ｂ７１０が本発明に係る「分割部」の一例である。
装着領域Ｂ６００に分割部を構成することにより、保持具Ｄ１００の長尺部Ｄ１１０の数に応じた数を有する装着領域Ｂ６００を構成することが可能となる。この長尺部Ｄ１１０に対応した装着領域Ｂ６００の個数は、設計者が任意に選択することができる。なお、装着領域Ｂ６００に分割部を設けず、単一の装着領域Ｂ６００とすることも可能である。
【００３５】
上述の通り、装着領域Ｂ６００は第１シートＢ２１０と第２シートＢ２２０とを重ねることにより構成される。一方、例えば単一のシート状部材における互いに離間した領域同士を重ね、当該重ねられた領域を第１方向Ｂ１００ｙに沿って接合することにより構成される空間を装着領域Ｂ６００とすることもできる。
【００３６】
（維持部材の説明）
次に、図８〜図１２に基づき維持部材Ｃ１００の説明を行う。第１シートＢ２１０、第２シートＢ２２０、第３シートＢ２３０および繊維束Ｂ４００はそれぞれ可撓性を有する。当該構成により、清掃シートＢ１００は可撓性を有する。
図８に示すとおり、清掃シートＢ１００に保持具Ｄ１００を装着して清掃作業を行う場合などは、清掃シートＢ１００を第１端部Ｂ１０１と第２端部Ｂ１０２が第１方向Ｂ１００ｙに関して所定の第１間隔Ｂ１１０に離間するような形状に置くことができる。この場合、清掃シートＢ１００は、刷毛部Ｂ５００を外部に露出させる第１状態を形成する。
一方、図９に示すとおり、例えば清掃シートＢ１００を廃棄する場合は、清掃シートＢ１００を第１端部Ｂ１０１と第２端部Ｂ１０２が第１方向Ｂ１００ｙに関して第１間隔Ｂ１１０よりも短い第２間隔Ｂ１２０に近接するような形状に置くことができる。この場合、清掃シートＢ１００は、刷毛部Ｂ５００の外部への露出面積を第１状態における露出面積よりも低減させた第２状態を形成する。
この第１間隔Ｂ１１０が本発明に係る「第１間隔」の一例であり、第２間隔Ｂ１２０が本発明に係る「第２間隔」の一例である。
【００３７】
清掃シートＢ１００は、清掃シートＢ１００が第２状態に置かれた場合に第２間隔Ｂ１２０を維持する維持部材Ｃ１００を有する。この維持部材Ｃ１００が本発明に係る「第２間隔維持部材」の一例である。
図５に示すとおり、維持部材Ｃ１００は、第１シートＢ２１０の第２面Ｂ２１２における第１接合部Ｂ７１０（分割部）上に設けられる。清掃シートＢ１００に対し保持具Ｄ１００を着脱する場合、第１接合部Ｂ７１０は長尺部Ｄ１１０を許容しない領域となる。よって、第１接合部Ｂ７１０上に維持部材Ｃ１００を設けることによって、保持具Ｄ１００の着脱が維持部材Ｃ１００に与える影響を低減することが可能となる。
【００３８】
図１０に示すとおり、維持部材Ｃ１００は、清掃シートＢ１００に接合する接合部Ｃ１１０と、接合部Ｃ１１０から延出して清掃シートＢ１００から離間する離間部Ｃ１２０と、離間部Ｃ１２０と清掃シートＢ１００の相対移動を規制する規制部Ｃ１３０とを有する。この接合部Ｃ１１０が本発明に係る「接合部」の一例であり、離間部Ｃ１２０が本発明に係る「離間部」の一例であり、規制部Ｃ１３０が本発明に係る「規制部」の一例である。
規制部Ｃ１３０は、清掃シートＢ１００が第２状態に置かれた場合に、使用者の操作によって離間部Ｃ１２０と清掃シートＢ１００の相対移動を規制して第２間隔Ｂ１２０を維持するよう構成される。規制部Ｃ１３０の具体的な構成については後述する。
【００３９】
なお、清掃シートＢ１００は可撓性を有するため、第２状態として図９に示した第１端部Ｂ１０１と第２端部Ｂ１０２とが向かい合う形状の他に、種々の形状をとることができる。例えば、図１１に示すように第２端部Ｂ１０２を有する清掃シートＢ１００の領域上に第１端部Ｂ１０１を有する清掃シートＢ１００の領域が重なる形状に清掃シートＢ１００が変形し、第２間隔Ｂ１２０を形成することができる。また、図１２に示すように、清掃シートＢ１００が折り畳まれる形状にて変形し、第２間隔Ｂ１２０を形成することができる。これらのいずれの場合であっても、第２間隔Ｂ１２０を形成する第２状態において、規制部Ｃ１３０は、離間部Ｃ１２０と清掃シートＢ１００の相対移動を規制して第２間隔Ｂ１２０を維持することができる。
【００４０】
第１実施形態に係る清掃シートＢ１００においては、規制部Ｃ１３０は、離間部Ｃ１２０に設けられるとともに清掃シートＢ１００に接着可能な接着部により構成される。当該構成によって。清掃シートＢ１００が第２状態に置かれた場合に、使用者の操作によって接着部が清掃シートＢ１００に接着されることにより、離間部Ｃ１２０と清掃シートＢ１００の相対移動を規制することを特徴とする清掃シート。これにより、清掃シートＢ１００は第２状態を維持することができるため、刷毛部Ｂ５００から塵芥が離脱することを抑止することができる。
【００４１】
第１実施形態に係る維持部材Ｃ１００のさらに具体的な構成を図１３〜図１６に基づき説明する。第１実施形態において、維持部材Ｃ１００は接着体Ｃ２００により構成される。図１３は接着体Ｃ２００が使用者に操作されていない状態を示す。図１４は、図１３における接着体Ｃ２００の概要をさらに明確に説明するための説明図である。
図１３において、接着体Ｃ２００は複数の可撓性を有する合成樹脂製のフィルム体により構成される。第１実施形態の場合、接着体Ｃ２００は第１接着体Ｃ２０１、第２接着体Ｃ２０２および第３接着体Ｃ２０３を積層することにより構成される。この接着体Ｃ２００を構成するフィルム体の数は、任意に設定することが可能である。
【００４２】
図１３に示すとおり、第１接着体Ｃ２０１、第２接着体Ｃ２０２および第３接着体Ｃ２０２は第１シートＢ２１０側の面にそれぞれ接着層Ｃ２１０を有する。接着層Ｃ２１０はホットメルト系接着剤の塗布により構成することができる。接着層Ｃ２１０の内、第１接着体Ｃ２０１の接着層Ｃ２１０が接合部Ｃ１１０を構成し、第３接着体Ｃ２０３の接着層Ｃ２１０が接着部（規制部Ｃ１３０を構成する。）この第３接着体Ｃ２０３の接着層Ｃ２１０が本発明に係る「接着部」の一例である。すなわち、接着層Ｃ２１０を有する接着体を複数積層することにより維持部材Ｃ１００を構成する場合は、第１シートＢ２１０に隣接する接着層Ｃ２１０が接合部Ｃ１１０を構成し、第１シートＢ２１０に隣接しない接着層が接着部（規制部Ｃ１３０）を構成する。
【００４３】
第１接着体Ｃ２０１および第２接着体Ｃ２０２において、接着層Ｃ１１０を有する側とは反対側の面には、隣接される他の接着体の接着層Ｃ２１０との接着を抑制する接着抑制領域と、接着を許容する接着許容領域が設けられる。図１４に示すとおり、第１接着体Ｃ２０１における右側の端部領域には接着許容領域が設けられ、それ以外の領域には接着抑制領域が設けられる。接着抑制領域は、接着体の所定箇所にシリコーン加工などを施すことにより構成することができる。また、接着許容領域は、当該シリコーン加工を施さないことにより構成することができる。
【００４４】
図１３および図１４において、第２接着体Ｃ２０２における左側の端部領域には接着許容領域が設けられ、それ以外の領域には接着抑制領域が設けられる。これにより、第１接着体Ｃ２０１の接着許容領域には第２接着体Ｃ２０２の接着層Ｃ２１０が接着され連結部Ｃ２４０を構成する。また、第２接着体Ｃ２０２の接着許容領域には第３接着体Ｃ２０３の接着層Ｃ２１０が接着され連結部Ｃ２４０を構成する。なお、第３接着体Ｃ２０３における連結部Ｃ２４０と対向する端部領域には接着層Ｃ２１０が設けられていない領域が形成される。当該領域は、使用者の指で把持される摘み部Ｃ２３０を構成する。
なお、図１４に示すとおり、摘み部Ｃ２３０の操作により接着抑制領域と隣接する接着体の領域は剥離され、剥離部Ｃ２２０を構成する。この剥離部Ｃ２２０は離間部Ｃ１２０を構成する。
【００４５】
次に、図１５に基づき接着体Ｃ２００（維持部材Ｃ１００）の動作を説明する。図１５においては、清掃シートＢ１００が第１状態を構成しており、保持具Ｄ１００が図１５における左側（挿入側Ｂ１００ｙ１）に配置されており、使用者に操作される以前の状態における摘み部Ｃ２３０が離脱側Ｂ１００ｙ２に配置されているものとする。
使用者が摘み部Ｃ２３０を引き操作すると、第３接着体Ｃ２０３は第２接着体Ｃ２０２から剥離され、第２接着体Ｃ２０２は第１接着体Ｃ２０１から剥離されることにより剥離部Ｃ２２０を形成する。剥離部Ｃ２２０は使用者が摘み部Ｃ２３０を引き操作する方向に延在する。この場合、使用者が離脱方向Ｂ１００ｙ２方向に摘み部Ｃ２３０を引き操作しているため、剥離部Ｃ２２０が離脱方向Ｂ１００ｙ２に延在されることとなる。この状態のまま使用者が摘み部Ｃ２３０の引き操作を継続することにより、清掃シートＢ１００を保持具１００から離脱することができる。すなわち、使用者は塵芥が付着した刷毛部Ｂ５００に触れることなく、清掃シートＢ１００と保持具Ｄ１００とを分離することができる。
【００４６】
保持具Ｄ１００から離脱された清掃シートＢ１００は、使用者によって第２状態とされる。しかる後に、剥離部Ｃ２２０を第２状態の清掃シートＢ１００に巻回し、第３接着体Ｃ２０３の接着層Ｃ２１０を清掃シートＢ１００の所定箇所に接着する。
これによって、清掃シートＢ１００は第２状態を維持可能となる。よって、使用者は、刷毛部Ｂ５００から塵芥が離脱することを抑制した状態にて、清掃シートＢ１００を廃棄場所へと運搬することが可能となる。さらに、刷毛部Ｂ５００の露出が低減された状態であるため、不快感を低減することが可能となる。
【００４７】
次に、図１６に基づき第１実施形態に係る接着体Ｃ２００の他の動作を説明する。図１６においては、清掃シートＢ１００が第１状態を構成しており、保持具Ｄ１００が図１５における右側（挿入側Ｂ１００ｙ１）に配置されており、使用者に操作される以前の状態における摘み部Ｃ２３０が挿入側Ｂ１００ｙ１に配置されているものとする。
使用者が摘み部Ｃ２３０を離脱側Ｂ１００ｙ２に引き操作すると、第３接着体Ｃ２０３は第２接着体Ｃ２０２から剥離される。一方、第１接着体Ｃ２０１と第２接着体Ｃ２０２の連結部Ｃ２４０は挿入側Ｂ１００ｙ１に配置されているため、第１接着体Ｃ２０１と第２接着体Ｃ２０２とは剥離されない。よって、この段階において剥離部Ｃ２２０は第３接着体Ｃ２０３のみにより構成される。一方、この状態であっても剥離部Ｃ２２０は離脱側に延在されているため、このまま使用者が摘み部Ｃ２３０の引き操作を継続することにより、清掃シートＢ１００を保持具１００から離脱することができる。
【００４８】
保持具Ｄ１００から離脱された清掃シートＢ１００は、使用者によって第２状態とされる。しかる後に、摘み部Ｃ２３０の引き操作により第１接着体Ｃ２０１と第２接着体Ｃ２０２を剥離する。これによって、剥離部Ｃ２２０を第２接着体Ｃ２０２と第３接着体Ｃ２０３とにより構成することができる。
そして使用者は、剥離部Ｃ２２０を第２状態の清掃シートＢ１００に巻回し、第３接着体Ｃ２０３の接着層Ｃ２１０を清掃シートＢ１００の所定箇所に接着する。
これによって、清掃シートＢ１００は第２状態を維持可能となる。
【００４９】
（他の実施形態）
次に、図１７〜図２７に基づき他の実施形態を説明する。図１７および図１８は第２実施形態を、図１９〜図２１は第３実施形態を、図２２〜図２４は第４実施形態を、図２５〜図２７は第５実施形態をそれぞれ示す。第２実施形態〜第５実施形態において、第１実施形態と同一の部品もしくは同一の機能を有する部品については同一の部品名称および同一の図面符号を用いることがある。
【００５０】
（第２実施形態）
第２実施形態に係る維持部材Ｃ１００は第１実施形態と同様に接着体Ｃ２００により構成される。第２実施形態に係る接着体Ｃ２００は、第１実施形態と比して規制部Ｃ１３０の構成が異なる。図１７は第２実施形態に係る清掃シートＢ１００の平面図、図１８は接着体Ｃ２００（維持部材Ｃ１００）の概要を示す側面図である。
第２状態にある清掃シートＢ１００に対し、確実に接着部（規制部Ｃ１３０）を接着する必要がある場合は、清掃シートＢ１００に被接着部材を設けることができる。図１８に示すとおり、第２実施形態においては接着部が多数のフックを有するフック部材Ｃ２５０により構成される。一方、清掃シートＢ１００に配置される被接着部材は、フック部材Ｃ２５０のフックに係合可能なループを複数有するループ部材Ｃ２６０により構成される。このループ部材Ｃ２６０が本発明に係る「被接着部材」の一例である。
【００５１】
第２実施形態の清掃シートＢ１００においては、第２状態にある清掃シートＢ１００において、ループ部材Ｃ２６０からフック部材Ｃ２５０を取り外す。そして、離間部Ｃ１２０により清掃シートＢ１００を巻回し、フック部材Ｃ２５０をループ部材Ｃ２６０へ接着する。これにより、第２実施形態の清掃シートＢ１００は第１実施形態の清掃シートＢ１０と同様に、刷毛部Ｂ５００の塵芥の脱落抑制機能や、刷毛部Ｂ５００の隠蔽機能を奏する。
【００５２】
（第３実施形態）
第３実施形態に係る維持部材Ｃ１００は長尺体Ｃ３００により構成される。図１９は第３実施形態に係る清掃シートＡ１００の平面図、図２０は維持部材Ｃ１００（長尺体Ｃ３００）の概要を示す側面図、図２１は第３実施形態の維持部材Ｃ１００の動作を示す説明図である。
図１９に示される長尺体Ｃ３００は、植物繊維や合成繊維の集合体による紐体や、紙や不織布により構成することができる。図２０に示すとおり、長尺体Ｃ３００は第１シートＢ２１０の第２面Ｂ２１２に接合部Ｃ１１０により接合され、これによって、離間部Ｃ１２０が構成される。離間部Ｃ１２０は、先端部Ｃ３１０を含む領域である先端領域Ｃ３１１を有する。第３実施形態においては、先端領域Ｃ３１１が規制部Ｃ１３０を構成する。この先端部Ｃ３１０が本発明に係る「先端部」の一例であり、先端領域Ｃ３１１が本発明に係る「先端領域」の一例である。
【００５３】
次に、図２１に基づき第３実施形態の清掃シートＢ１００における動作を説明する。第２状態にある清掃シートＢ１００に対し、離間部Ｃ１２０により清掃シートＢ１００を巻回する。この状態において、先端領域Ｃ３１１を離間部Ｃ１２０に接合し、連結部Ｃ３２０を構成する。この連結部Ｃ３２０は、先端領域Ｃ３１１を離間部Ｃ１２０に結び付けることにより形成することができる。連結部Ｃ３２０を構成することにより、離間部Ｃ１２０と清掃シートＢ１１０との相対的な移動が規制される。すなわち、清掃シートＢ１００は第２状態を維持することが可能となる。
これにより、第３実施形態の清掃シートＢ１００は第１実施形態の清掃シートＢ１００と同様に、刷毛部Ｂ５００の塵芥の脱落抑制機能や、刷毛部Ｂ５００の隠蔽機能を奏することが可能となる。
【００５４】
（第４実施形態）
第４実施形態に係る維持部材Ｃ１００は、第３実施形態と同様に長尺体Ｃ３００により構成される。第４実施形態に係る長尺体Ｃ３００は、第３実施形態と比して離間部Ｃ１２０の構成が異なる。図２２は第４実施形態に係る清掃シートＢ１００の平面図、図２３は維持部材Ｃ１００（長尺体Ｃ３００）の概要を示す側面図、図２４は第４実施形態の維持部材Ｃ１００の動作を示す説明図である。
図２２に示すとおり、第４実施形態に係る長尺体Ｃ３００は、接合部Ｃ１１０が長尺体Ｃ３００の中間領域に配置されている。これによって、図２３に示す通り、長尺体Ｃ３００には第１長尺体Ｃ４００と第２長尺体Ｃ５００が構成される。第１長尺体Ｃ４００は、先端部Ｃ４１０を含む第１先端領域Ｃ４１１を有する。第２長尺体Ｃ５００は、先端部Ｃ５１０を含む第２先端領域Ｃ５１１を有する。
この第１長尺体Ｃ４００が本発明に係る「第１離間要素」の一例であり、第１先端領域Ｃ４１１が本発明に係る「第１先端領域」の一例であり、第２長尺体Ｃ５００が本発明に係る「第２離間要素」の一例であり、第２先端領域Ｃ５１１が本発明に係る「第２先端領域」の一例である。
【００５５】
次に、図２４に基づき第４実施形態の清掃シートＢ１００における動作を説明する。第２状態にある清掃シートＢ１００に対し、第１長尺体Ｃ４００および第２長尺体Ｃ５００により清掃シートＢ１００を巻回する。この状態において、第１先端領域Ｃ４１１と第２先端領域Ｃ５１１を接合し、連結部Ｃ３２０を構成する。この連結部Ｃ３２０は、第１先端領域Ｃ４１１と第２先端領域Ｃ５１１を結び付けることにより形成することができる。連結部Ｃ３２０を構成することにより、第１長尺体Ｃ４００，第２長尺体Ｃ５００および清掃シートＢ１００の相対的な移動が規制される。すなわち、清掃シートＢ１００は第２状態を維持することが可能となる。
これにより、第４実施形態の清掃シートＢ１００は第１実施形態の清掃シートＢ１００と同様に、刷毛部Ｂ５００の塵芥の脱落抑制機能や、刷毛部Ｂ５００の隠蔽機能を奏することが可能となる。
【００５６】
（第５実施形態）
第５実施形態に係る維持部材Ｃ１００は開口Ｃ６１０を有する環状体Ｃ６００により構成される。図２５は第５実施形態に係る清掃シートＡ１００の平面図、図２６は維持部材Ｃ１００（環状体Ｃ６００）の概要を示す側面図、図２７は第５実施形態の維持部材Ｃ１００の動作を示す説明図である。この環状体Ｃ６００が本発明に係る「環状要素」の一例であり、開口Ｃ６１０が本発明に係る「開口」の一例である。
図２５に示される環状体Ｃ６００は、ゴム製によるものや、植物繊維や合成繊維の集合体による紐体や、紙や不織布により構成することができ、伸縮可能に構成することが望ましい。図２６に示すとおり、環状体Ｃ６００は第１シートＢ２１０の第２面Ｂ２１２に接合部Ｃ１１０により接合され、これによって、環状の離間部Ｃ１２０が構成される。第５実施形態においては、環状の離間部Ｃ１２０が規制部Ｃ１３０を兼用する。
【００５７】
次に、図２７に基づき第５実施形態の清掃シートＢ１００における動作を説明する。使用者は第２状態にある清掃シートＢ１００を開口Ｃ６１０に前記清掃シートが挿通する。これによって、離間部Ｃ１２０と清掃シートＢ１００との相対的な移動が規制される。すなわち、清掃シートＢ１００は第２状態を維持することが可能となる。
これにより、第５実施形態の清掃シートＢ１００は第１実施形態の清掃シートＢ１００と同様に、刷毛部Ｂ５００の塵芥の脱落抑制機能や、刷毛部Ｂ５００の隠蔽機能を奏することが可能となる。
【００５８】
（実施の形態ないし実施例本発明の各構成要素の対応について）
清掃用具Ａ１００は本発明に係る「清掃用具」の一例である。保持具Ｄ１００は本発明に係る「保持具」の一例である。清掃シートＢ１００は本発明に係る「清掃シート」の一例である。装着領域Ｂ６００は本発明に係る「装着領域」の一例である。第１方向Ｂ１００ｙは本発明に係る「第１方向」の一例である。第１端部Ｂ１０１は本発明に係る「第１端部」の一例である。第2端部Ｂ１０２は本発明に係る「第２端部」の一例である。長尺部Ｄ１１０は本発明に係る「長尺部」の一例である。把持部Ｄ１６３は本発明に係る「把持部」の一例である。第１シートＢ２１０は本発明に係る「シート状部材」の一例であり、第１面Ｂ２１１は本発明に係る「第１面」の一例であり、第２面Ｂ２１２は本発明に係る「第２面」の一例であり、第２シートＢ２２０、第３シートＢ２３０および繊維束Ｂ４００は本発明に係る「刷毛部材」の一例である。第１接合部Ｂ７１０は本発明に係る「分割部」の一例である。第１間隔Ｂ１１０は本発明に係る「第１間隔」の一例であり、第２間隔Ｂ１２０は本発明に係る「第２間隔」の一例である。維持部材Ｃ１００は本発明に係る「第２間隔維持部材」の一例である。接合部Ｃ１１０は本発明に係る「接合部」の一例であり、離間部Ｃ１２０は本発明に係る「離間部」の一例であり、規制部Ｃ１３０は本発明に係る「規制部」の一例である。第３接着体Ｃ２０３の接着層Ｃ２１０は本発明に係る「接着部」の一例である。ループ部材Ｃ２６０は本発明に係る「被接着部材」の一例である。先端部Ｃ３１０は本発明に係る「先端部」の一例である。先端領域Ｃ３１１は本発明に係る「先端領域」の一例である。第１長尺体Ｃ４００は本発明に係る「第１離間要素」の一例である。第１先端領域Ｃ４１１は本発明に係る「第１先端領域」の一例である。第２長尺体Ｃ５００は本発明に係る「第２離間要素」の一例である。第２先端領域Ｃ５１１は本発明に係る「第２先端領域」の一例である。環状体Ｃ６００は本発明に係る「環状要素」の一例である。開口Ｃ６１０は本発明に係る「開口」の一例である。
【符号の説明】
【００５９】
Ａ１００  清掃用具
Ｂ１００  清掃シート
Ｂ１００ｙ  第１方向（第１方向）
Ｂ１００ｙ１  挿入側
Ｂ１００ｙ２  離脱側
Ｂ１００ｘ  第２方向
Ｂ１１０  第１間隔
Ｂ１２０  第２間隔
Ｂ１０１  第１端部
Ｂ１０２  第２端部
Ｂ１０３  第３端部
Ｂ１０４  第４端部
Ｂ２１０  第１シート（シート状部材）
Ｂ２１１  第１面
Ｂ２１２  第２面
Ｂ２２０  第２シート
Ｂ２３０  第３シート
Ｂ３００  短冊片
Ｂ３１０  切込み
Ｂ４００  繊維束
Ｂ５００  刷毛部
Ｂ６００  装着領域
Ｂ６１０  開口
Ｂ７１０  第１接合部（分割部）
Ｂ７２０  第２接合部
Ｃ１００  維持部材（第２間隔維持部材）
Ｃ１１０  接合部
Ｃ１２０  離間部
Ｃ１３０  規制部
Ｃ２００  接着体（第２間隔維持部材）
Ｃ２０１  第１接着体
Ｃ２０２  第２接着体
Ｃ２０３  第３接着体
Ｃ２１０  接着層（接合部、規制部）
Ｃ２２０  剥離部
Ｃ２３０  摘み部
Ｃ２４０  連結部
Ｃ２５０  フック部材（接着部）
Ｃ２６０  ループ部材（被接着部材）
Ｃ３００  長尺体（第２間隔維持部材）
Ｃ３１０  先端部
Ｃ３１１  先端領域（規制部）
Ｃ３２０  連結部
Ｃ４００  第１長尺体（第１離間要素）
Ｃ４１０  先端部
Ｃ４１１  先端領域（規制部）
Ｃ５００  第２長尺体（第２離間要素）
Ｃ５１０  先端部
Ｃ５１１  先端領域（規制部）
Ｃ６００  環状体（第２間隔維持部材）
Ｃ６１０  開口
Ｄ１００  保持具
Ｄ１１０  長尺部
Ｄ１２０  先端部
Ｄ１３０  基部
Ｄ１４０  延在部
Ｄ１４１  第１延在部
Ｄ１４２  第２延在部
Ｄ１５１  先端側凸部
Ｄ１５２  基部側凸部
Ｄ１６０  ハンドル部
Ｄ１６１  先端部
Ｄ１６２  後端部
Ｄ１６３  把持部
【図１】
0006506964.tif 000002
【図２】
0006506964.tif 000003
【図３】
0006506964.tif 000004
【図４】
0006506964.tif 000005
【図５】
0006506964.tif 000006
【図６】
0006506964.tif 000007
【図７】
0006506964.tif 000008
【図８】
0006506964.tif 000009
【図９】
0006506964.tif 000010
【図１０】
0006506964.tif 000011
【図１１】
0006506964.tif 000012
【図１２】
0006506964.tif 000013
【図１３】
0006506964.tif 000014
【図１４】
0006506964.tif 000015
【図１５】
0006506964.tif 000016
【図１６】
0006506964.tif 000017
【図１７】
0006506964.tif 000018
【図１８】
0006506964.tif 000019
【図１９】
0006506964.tif 000020
【図２０】
0006506964.tif 000021
【図２１】
0006506964.tif 000022
【図２２】
0006506964.tif 000023
【図２３】
0006506964.tif 000024
【図２４】
0006506964.tif 000025
【図２５】
0006506964.tif 000026
【図２６】
0006506964.tif 000027
【図２７】
0006506964.tif 000028